(57)【要約】【課題】  利便性の高い棚を提供する。【解決手段】  二つのブラケットと、複数の格子材を備え、ブラケットは、略水平、斜め上に向けて傾斜、又は斜め下に向けて傾斜させて固定自在であり、略垂直に折り畳んで収納可能であり、ブラケット間には間隔をあけて格子材を架設してある。【選択図】      図１
2019201960.tif 000002
【特許請求の範囲】
【請求項１】
二つのブラケットと、複数の格子材を備え、ブラケットは、略水平、斜め上に向けて傾斜、又は斜め下に向けて傾斜させて固定自在であり、略垂直に折り畳んで収納可能であり、ブラケット間には間隔をあけて格子材を架設してあることを特徴とする棚。
【発明の詳細な説明】
【技術分野】
【０００１】
本発明は、テラス囲い等の簡易構造物の室内に取り付けられる棚に関する。
【背景技術】
【０００２】
テラス囲いやサンルーム等の簡易構造物の室内に取り付けられる従来の棚は固定式であったため、使用しない時に折り畳めず、空間を広く使うことができなかった。
【先行技術文献】
【非特許文献】
【０００３】
【非特許文献１】「エクステリア建材  ウォールエクステア総合カタログ（ＳＴＷ０４５５Ａ）」三協立山株式会社、２０１７年２月、ｐ．４６７
【発明の概要】
【発明が解決しようとする課題】
【０００４】
本発明は上記事情を鑑み、利便性の高い棚を提供することを目的とする。
【課題を解決するための手段】
【０００５】
本発明の棚は、二つのブラケットと、複数の格子材を備え、ブラケットは、略水平、斜め上に向けて傾斜、又は斜め下に向けて傾斜させて固定自在であり、略垂直に折り畳んで収納可能であり、ブラケット間には間隔をあけて格子材を架設してあることを特徴とする。
【発明の効果】
【０００６】
本発明によれば、ブラケットは略垂直に折り畳んで収納可能であるので、棚を使用しない時は折り畳める。またブラケットは、略水平、斜め上に向けて傾斜、又は斜め下に向けて傾斜させて固定自在であるため、棚の角度を変えて多様な使い方が可能である。
【図面の簡単な説明】
【０００７】
【図１】本発明の棚を取り付けた簡易構造物の内観の一部を示す概略図である。
【図２】本発明の棚を取り付けた簡易構造物の外観を示し、（ａ）は正面図、（ｂ）は側面図である。
【図３】ブラケットを略水平に固定した状態の棚の正面図である。
【図４】ブラケットを略水平に固定した状態の棚の側面図である。
【図５】ブラケットを折り畳んで収納した状態の棚の側面図である。
【図６】（ａ）（ｂ）は棚の使用例を示す斜視図である。
【図７】（ａ）（ｂ）は棚の使用例を示す斜視図である。
【発明を実施するための形態】
【０００８】
以下、本発明の実施の形態を図面に基づいて説明する。ここでは、本発明の棚が、図１及び図２に示すように、建物の外壁Ｘに隣接して設置されるテラス囲い等の簡易構造物Ｙの室内側に取り付けてある場合を示す。以下の説明において、建物側を後側、簡易構造物Ｙが突出する側を前側とし、室内側とは簡易構造物Ｙの室内側とする。また、図２（ａ）から見て左右方向を定める。
【０００９】
簡易構造物Ｙは、外壁Ｘから間隔をあけて前側に左右の柱１０ａ，１０ａを有し、外壁Ｘに当接する後側には左右に躯体方立１０ｂ，１０ｂを有する。柱１０ａ，１０ａ間には左右に桁１１，１２が架設され、柱１０ａと躯体方立１０ｂの間には腕木１３と妻桁１４が架設されて簡易構造物Ｙが骨組みされている。簡易構造物Ｙは正面及び側面において開口部を有する。開口部にはＦＩＸ窓や引き違い窓等の開口部建材が取り付けられ、棚は開口部建材の室内側に取り付けられる。棚は正面又は側面のいずれに取り付けても良いが、ここでは、柱１０ａ，１０ａと、桁１１，１２によって囲まれた正面の開口部に設けられた開口部建材Ｏに棚を取り付けた場合を説明する。本実施形態において開口部建材Ｏは、無目を有するＦＩＸ窓であって、縦材１５，１５と横材１６，１８によって枠組みされており、開口部建材Ｏの高さ方向略中間部は、横材１７によって仕切ってあり、左右方向略中間部は方立１９によって仕切ってある。開口部建材Ｏは、内周にガラスパネルＰを取り付けてあり、開口部建材Ｏを構成する横材１６，１７，１８のうち、上部の横材１６は上枠であり、中間部の横材１７は無目であり、下部の横材１８は下枠である。また、本実施形態の簡易構造物Ｙは図３及び図４に示すように、床材Ｆを用いたデッキ仕様であるが、地面に横材（下枠）１８を取り付けた土間仕様であってもよい。
【００１０】
棚は、図１及び図３に示すように、取付柱１と、ブラケット２と、格子材３から構成される。棚は開口部建材Ｏの下方、言い換えれば、人の腰辺りの高さに設けてあることが望ましく、本実施形態では、開口部建材Ｏの高さ方向略中間部において上下を仕切る横材１７のやや下方に取り付けてある。詳しくは、中間部の横材１７と下部の横材１８の間に、二本の取付柱１，１が左右に間隔をあけて固定してある。取付柱１にはそれぞれブラケット２が取り付けてあり、ブラケット２，２間には前後に間隔をあけて複数の格子材３，３‥が架設してある。
【００１１】
取付柱１は、断面略矩形の中空形材であって、上下に延びており、図４及び図５に示すように、中間部の横材１７と下部の横材１８の間に嵌まり込むほどの寸法である。そして、簡易構造物Ｙの開口部建材Ｏを構成する上下の横材１７，１８間の見込面内に室内側から取り付けてあり、また、横材１７，１８の長手方向の任意の位置に取り付け可能である。取付柱１の室内側見付面を横材１７，１８の室内側見付面と略面一とすれば、意匠性に優れる。
【００１２】
ブラケット２は、ベース部２１とアーム部２２から構成してあり、ベース部２１が取付柱１の室内側見付面に固定してある。アーム部２２は、ベース部２１を軸に垂直方向へ回動自在であるとともに、任意の角度で保持されるので、ブラケット２を図４、図６又は図７に示すように、略水平、斜め上に向けて傾斜、又は斜め下に向けて傾斜させて固定自在である。さらにベース部２１は、アーム部２２を略垂直に立てた状態で長手方向に沿って摺動可能としてあるため、図５に示すように、ブラケット２を略垂直に折り畳んで収納することができる。
【００１３】
格子材３は、断面略矩形の中空形材であって、左右のアーム部２２，２２に取り付けられることにより、ブラケット２，２間に間隔をあけて複数架設してある。格子材３同士の間隔は問わないが、例えば、各格子材３にタオルやバスマット等を掛けて互いが密接しない程である。
【００１４】
次に、本発明の棚の様々な使用方法について説明する。本実施形態において、簡易構造物は棚の直上に図示しない物干し竿を備える。図６（ａ）に示すように、ブラケット２を略水平に向けた状態で固定すれば、格子材３の上に、洗濯かごを置くことができる。使用者の腰辺りの高さにある棚に載置された洗濯かごは、使用者の手元近くに位置するため、洗濯かごから洗濯物を取り出して、直上の物干し竿へ干す作業をスムーズに行うことができる。さらに、図６（ｂ）に示すように、ブラケット２を斜め上へ向けて傾斜させると、洗濯かごの側面が格子材３に当接し、洗濯かごの開口を斜め上へ向けて置くことができる。このような状態とすれば、洗濯かごから洗濯物を取り出す作業がより容易となる。
また、図７（ａ）に示すように、ブラケット２を斜め下に向けて傾斜させると、格子材３それぞれにタオル等を掛けた際に、略水平に向けた場合よりも乾きやすくなる。そして、図７（ｂ）に示すように、ブラケット２を斜め下に向けて傾斜させ、格子材３にハンガーやタオルを掛けてもよく、ブラケット２を斜め下に向けた場合よりも丈の長いものを掛けることができる。
そして、図５に示すように、ブラケット２を略垂直に折り畳んで収納した場合、開口部建材Ｏのガードとして使用することもできる。例えば、子どものいる家庭やペットを飼っている家庭において、ガラスパネルＰへの衝突を防いだり、また、開口部建材Ｏが開閉可能な窓である場合に窓開放時の転落を防ぐことができるなど、子どもやペットの安全を確保することができる。本実施形態では、開口部建材Ｏの一部しかガードされていないが、開口部建材Ｏの全幅に亘って、棚を一つ又は複数取り付けてもよい。
【００１５】
このように構成した棚によれば、ブラケット２は略垂直に折り畳んで収納可能であるので、棚を使用しない時は折り畳め、邪魔にならない。またブラケット２は、略水平、斜め上に向けて傾斜、又は斜め下に向けて傾斜させて固定自在であるため、棚の角度を変えて多様な使い方が可能である。例えば、棚を斜め上に向けると、洗濯かごの側面を格子材３に当接させて、洗濯かごの開口を斜め上へ向けて置くことができ、洗濯物を干す際に洗濯物を取り出し易く、作業性が良い。また、棚を斜め下へ向けると、格子材３に掛けたタオル等が乾きやすい。
また、それぞれブラケット２を有する二つの取付柱１は、開口部建材Ｏを構成する上下の横材１７，１８の見込面内に取り付けてあるので、室内側に突出する部材が少なく、意匠性が良い。また取付柱１は横材１７，１８の長手方向の任意の位置に取り付け可能であるため、使い勝手が良い。横材１７，１８の室内側見付面と、取付柱１の室内側見付面を略面一とすれば、すっきりとした内観となり、より意匠性に優れる。
【００１６】
本発明は、上記の実施形態に限らず本発明の要旨を逸脱しない範囲で変形可能である。例えばブラケットや格子材の形状や材質等は適宜変更することができる。
【符号の説明】
【００１７】
１      取付柱
２      ブラケット
３      格子材
１６    横材（上枠）
１７    横材（無目）
１８    横材（下枠）
Ｏ      開口部建材
Ｐ      ガラスパネル
Ｘ      外壁
Ｙ      簡易構造物
【図１】
2019201960.tif 000003
【図２】
2019201960.tif 000004
【図３】
2019201960.tif 000005
【図４】
2019201960.tif 000006
【図５】
2019201960.tif 000007
【図６】
2019201960.tif 000008
【図７】
2019201960.tif 000009